(57)【要約】【課題】撮像装置の数に応じて通信すべき画像のデータ量を適切に調整する。【解決手段】レシーバー１０は、接続されているデジタルカメラ３０−１〜３０−ｎのうち、１台のデジタルカメラからの画像データをライブビューイメージとして表示する場合には、他のデジタルカメラを、通信状態を維持したままスリープ状態に遷移させるとともに、１台のデジタルカメラからＱＶＧＡサイズの画像データを受信してライブビューイメージとしてシングルビュー表示する。一方、接続されている全てのデジタルカメラからの画像データを表示する場合には、スリープ状態のデジタルカメラを復帰させた後、デジタルカメラ３０−１〜３０−ｎからＱＱＶＧＡサイズの画像データを受信してライブビューイメージとしてマルチライブビュー表示する。【選択図】図９
2018038011.tif 000002
【特許請求の範囲】
【請求項１】
複数の撮像装置との間で通信する通信手段と、
この通信手段により前記複数の撮像装置から並行して送信される画像データを受信する受信手段と、
前記画像データを送信する撮像装置の数を取得する取得手段と、
前記取得手段によって取得された撮像装置の数に基づいて、前記撮像装置から送信される前記画像データのデータ量を制御する制御手段と、
を備えることを特徴とする電子機器。
【請求項２】
表示手段と、
前記表示手段の表示領域を前記撮像装置の数に応じて分割し、前記受信手段によって受信された画像データを、前記分割された表示領域の各々に表示するよう制御する表示制御手段と、
を備えることを特徴とする請求項１に記載の電子機器。
【請求項３】
前記制御手段は、前記表示制御手段による制御により前記分割された表示領域に表示されるべき表示サイズに基づいて、前記複数の撮像装置から送信される前記画像データのデータ量を制御する、
ことを特徴とする請求項２に記載の電子機器。
【請求項４】
前記複数の撮像装置の各々に対し、前記通信手段に少なくとも２つの通信モードの何れかを設定する通信モード設定手段と、
この通信モード設定手段によって設定された通信モードが何れかであるかに基づいて、前記受信手段に対して前記画像データの受信を行うか否かを設定する受信設定手段と、
を更に備え、
前記表示制御手段は、前記受信設定手段によって前記画像データの受信を行うと設定された撮像装置の数に基づいて、前記表示手段の表示領域を分割する、
ことを特徴とする請求項２又は３に記載の電子機器。
【請求項５】
前記２つの通信モードとは、常時接続してデータ通信を行う第１の通信モードと所定の時間間隔で通信状態を維持する第２の通信モードであって、
前記通信モード設定手段によって前記第１の通信モードに設定されたときに、前記受信設定手段は、前記受信手段に対して前記画像データの受信を行う旨を設定する、
ことを特徴とする請求項４に記載の電子機器。
【請求項６】
前記複数の撮像装置は、逐次撮影した画像の画像データを送信する、
ことを特徴とする請求項１乃至５の何れかに記載の電子機器。
【請求項７】
前記制御手段は、前記複数の撮像装置の数と反比例するように、前記複数の撮像装置から送信される前記画像データのデータ量を制御することを特徴とする請求項１乃至６の何れかに記載の電子機器。
【請求項８】
複数の撮像装置との間で通信を確立する通信確立ステップと、
前記通信が確立された前記複数の撮像装置から並行して送信される画像データを受信する受信ステップと、
前記画像データを送信する撮像装置の数を取得する取得ステップと、
前記取得ステップにて取得された撮像装置の数に基づいて、前記撮像装置から送信される前記画像データのデータ量を制御する制御ステップと、
を含むことを特徴とするデータ通信方法。
【請求項９】
電子機器のコンピュータを、
複数の撮像装置との間で通信する通信手段、
この通信手段により前記複数の撮像装置から並行して送信される画像データを受信する受信手段、
前記画像データを送信する撮像装置の数を取得する取得手段、
前記取得手段によって取得された撮像装置の数に基づいて、前記撮像装置から送信される前記画像データのデータ量を制御する制御手段、
として機能させることを特徴とするプログラム。
【請求項１０】
複数の撮像装置と電子機器とからなる撮影システムであって、
前記電子機器は、
前記複数の撮像装置との間で通信する通信手段と、
この通信手段により前記複数の撮像装置から並行して送信される画像データを受信する受信手段と、
前記画像データを送信する撮像装置の数を取得する取得手段と、
前記取得手段によって取得された撮像装置の数に基づいて、前記撮像装置から送信される前記画像データのデータ量を制御する制御手段と、を備え、
前記複数の撮像装置は、各々、
撮像手段と、
前記撮像手段によって撮像される画像データを、前記制御手段によって制御された前記画像データのデータ量に基づいて前記電子機器に送信する送信手段と、
を備えることを特徴とする撮影システム。
【発明の詳細な説明】
【技術分野】
【０００１】
本発明は、電子機器、データ通信方法、プログラム、及び撮影システムに関する。
【背景技術】
【０００２】
従来、複数のカメラと電子機器とを接続し、電子機器に複数のカメラからのライブビューイメージを一覧表示（マルチライブビュー表示）する技術が知られている。
【０００３】
例えば、２つの撮像装置で無線より画像データを送受する技術が提案されている（例えば特許文献１参照）。具体的には、撮像装置同士の距離が近い場合には、撮像装置の所持者同士で双方の撮像装置の表示画面に表示された画像が視認可能なので、通信による画像の送受は行わない。一方、撮像装置同士の距離が遠い場合には、所持者同士で表示画面に表示された画像の視認が困難なので、無線通信により画像を送信し、自身の撮像装置で撮像された画像とともに受信した画像を表示し、その際は、自身で撮像した画像と受信した画像とは分割して一画面として表示される。
【先行技術文献】
【特許文献】
【０００４】
【特許文献１】特開２００８−１８７４９９号公報
【発明の概要】
【発明が解決しようとする課題】
【０００５】
上述した特許文献１に記載された技術は、自身の撮像装置で撮像した画像と、受信した画像とを分割して表示するケースを記載したものだが、画像データを送信する撮像装置が複数存在する場合、これに対応した表示は想定されていない。つまり、画像データを送信する撮像装置の数に変化が生じても対応できないという問題があった。
【０００６】
本発明は、撮像装置の数に応じて通信すべき画像のデータ量を適切に調整することを目的とする。
【課題を解決するための手段】
【０００７】
この発明に係る電子機器は、複数の撮像装置との間で通信する通信手段と、この通信手段により前記複数の撮像装置から並行して送信される画像データを受信する受信手段と、前記画像データを送信する撮像装置の数を取得する取得手段と、前記取得手段によって取得された撮像装置の数に基づいて、前記撮像装置から送信される前記画像データのデータ量を制御する制御手段と、を備えることを特徴とする。
【０００８】
この発明に係るデータ通信方法は、複数の撮像装置との間で通信を確立する通信確立ステップと、前記通信が確立された前記複数の撮像装置から並行して送信される画像データを受信する受信ステップと、前記画像データを送信する撮像装置の数を取得する取得ステップと、前記取得ステップにて取得された撮像装置の数に基づいて、前記撮像装置から送信される前記画像データのデータ量を制御する制御ステップと、を含むことを特徴とする。
【０００９】
この発明に係るプログラムは、電子機器のコンピュータを、複数の撮像装置との間で通信する通信手段、この通信手段により前記複数の撮像装置から並行して送信される画像データを受信する受信手段、前記画像データを送信する撮像装置の数を取得する取得手段、前記取得手段によって取得された撮像装置の数に基づいて、前記撮像装置から送信される前記画像データのデータ量を制御する制御手段、として機能させることを特徴とする。
【００１０】
この発明に係る撮影システムは、複数の撮像装置と電子機器とからなる撮影システムであって、前記電子機器は、前記複数の撮像装置との間で通信する通信手段と、この通信手段により前記複数の撮像装置から並行して送信される画像データを受信する受信手段と、前記画像データを送信する撮像装置の数を取得する取得手段と、前記取得手段によって取得された撮像装置の数に基づいて、前記撮像装置から送信される前記画像データのデータ量を制御する制御手段と、を備え、前記複数の撮像装置は、各々、撮像手段と、前記撮像手段によって撮像される画像データを、前記制御手段によって制御された前記画像データのデータ量に基づいて前記電子機器に送信する送信手段と、を備えることを特徴とする。
【発明の効果】
【００１１】
この発明によれば、撮像装置の数に応じて通信すべき画像のデータ量を適切に調整することができる。
【図面の簡単な説明】
【００１２】
【図１】本発明の実施形態によるレシーバー１０と複数のデジタルカメラ３０−１〜３０−ｎとを用いた撮影システム１の構成を示すブロック図である。
【図２】本実施形態によるレシーバー１０とデジタルカメラ３０−１〜ｎの構成を示すブロック図である。
【図３】本実施形態によるレシーバー１０の表示例（マルチビュー表示）を示す模式図である。
【図４】本実施形態によるレシーバー１０の表示例（シングルビュー表示）を示す模式図である。
【図５】本実施形態によるレシーバー１０の動作を説明するためのフローチャートである。
【図６】本実施形態による撮影システム１の動作（マルチビュー設定処理）を説明するためのシーケンス図である。
【図７】本実施形態による撮影システム１の動作（シングルビュー設定処理）を説明するためのシーケンス図である。
【図８】本実施形態による撮影システム１の動作（マルチビューからシングルビューへの遷移）を説明するためのシーケンス図である。
【図９】本実施形態による撮影システム１の動作（シングルビューからマルチビュー、更にシングルビューへの遷移）を説明するためのシーケンス図である。
【発明を実施するための形態】
【００１３】
以下、本発明の実施の形態を、図面を参照して説明する。
【００１４】
Ａ．実施形態の構成
図１は、本発明の第１実施形態によるレシーバー１０と複数のデジタルカメラ３０−１〜３０−ｎとを用いた撮影システム１の構成を示すブロック図である。図において、レシーバー１０は、例えば、スマートフォンや、タブレット端末、あるいは専用の端末などからなる。該レシーバー１０は、複数のデジタルカメラ３０−１〜３０−ｎとの間で無線通信（例えばＢｌｕｅｔｏｏｔｈ（登録商標））２０−１〜２０−ｎを行うためのデバイスやプログラムを備えている。なお、本実施形態では、最大７台のデジタルカメラ３０−１〜３０−７（ｎ＝７）が接続されることを想定している。
【００１５】
複数のデジタルカメラ３０−１〜３０−ｎは、基本機能として、撮像する機能、撮像した画像を保存する機能、及び、撮像した画像データを他のデジタルカメラ又はレシーバー１０に送信する機能を備えている。これら基本機能を備えていれば、光学系の性能（レンズ口径、Ｆ値など）、撮像系の性能（解像度、センササイズなど）、記憶容量などの他の機能については夫々のデジタルカメラ固有であっても構わない。
【００１６】
複数のデジタルカメラ３０−１〜３０−ｎは、上記撮像に関する機能以外に、レシーバー１０との間で無線通信２０−１〜２０−ｎを行うためのデバイスやプログラムを備えている。デジタルカメラ３０−１〜３０−ｎは、無線通信２０−１〜２０−ｎを介して、レシーバー１０からの要求に応じて、ＱＱＶＧＡ（１６０×１２０ドット）又はＱＶＧＡ（３２０×２４０ドット）のどちらかの一方の画像データをレシーバー１０に逐次送信する。
【００１７】
レシーバー１０は、専用のプログラム又はアプリケーションを実行することにより、無線通信２０−１〜２０−ｎを用いて、デジタルカメラ３０−１〜３０−ｎとの通信を確立する。レシーバー１０は、ユーザの指定に応じて、複数のデジタルカメラ３０−１〜３０−ｎの少なくとも１つ以上からの画像データを受信する。また、レシーバー１０は、複数のデジタルカメラ３０−１〜３０−ｎから画像データを並行して受信している場合には、表示部の画面上に複数のライブビューイメージを一覧表示（マルチライブビュー表示）する。
【００１８】
一方、レシーバー１０は、１つのデジタルカメラから１つの画像データを受信している場合には、表示部の画面上に１つのライブビューイメージを全画面で逐次表示（シングルビュー表示）する。マルチライブビュー表示とするか、シングルビュー表示とするかは、ユーザの指定により切り換え可能となっている。なお、画像データの受信手順や、マルチライブビュー表示とシングルビュー表示との切り換え手順の詳細については後述する。
【００１９】
また、レシーバー１０は、デジタルカメラ３０−１〜３０−ｎの各々に割り当てられた識別情報としてＰＩＮ（Ｐａｒｓｏｎａｌ  Ｉｄｅｎｔｉｆｉｃａｔｉｏｎ  Ｎｕｍｂｅｒ）を予めＲＯＭ１４、又は、ＲＡＭ１５の所定の記憶領域に記憶するとともに、これと対応するようにＲＡＭ１５に管理テーブルを設定して、デジタルカメラ３０−１〜３０−ｎの夫々について少なくとも２つの通信モード（ｃｏｎｎｅｃｔ、ｓｎｉｆｆ）を設定・管理することが可能となっている。第１の通信モード（ｃｏｎｎｅｃｔ）は、デジタルカメラを常時接続した状態として画像データを受信する通信モードであり、第２の通信モード（ｓｎｉｆｆ）は、接続状態の維持のため一定の時間間隔で通信するポーリング状態の通信モードである。そして、接続されている全てのデジタルカメラに対し、第１の通信モード（ｃｏｎｎｅｃｔ）に設定した場合、第１の通信モードが設定されたデジタルカメラの数を計数・取得して画像データを受信し、ライブビューイメージとして取得された数分の画像データによるライブビューイメージを一覧表示する、マルチライブビュー表示とする。
【００２０】
一方、１台のデジタルカメラのみを第１の通信モード（ｃｏｎｎｅｃｔ）とし、他のデジタルカメラを第２の通信モード（ｓｎｉｆｆ）に設定した場合、第１の通信モード（ｃｏｎｎｅｃｔ）のデジタルカメラだけから画像データを受信し、ライブビューイメージとして全画面で逐次表示するシングルビュー表示とする。このように、ライブビューイメージを表示しないデジタルカメラを第２の通信モード（ｓｎｉｆｆ）とすることで、通信状態を維持したまま、省電力化が実現できる。また、通信状態を維持したままであるので、当該デジタルカメラを第２の通信モード（ｓｎｉｆｆ）から再び第１の通信モード（ｃｏｎｎｅｃｔ）へ復帰させるのに要する時間を短縮することができる。
【００２１】
図２（ａ）は、本実施形態によるレシーバー１０の構成を示すブロック図であり、図２（ｂ）は、本実施形態によるデジタルカメラ３０−ｎ（ｎ＝１〜７）の構成を示すブロック図である。図２（ａ）において、レシーバー１０は、通信部（Ｂｌｕｅｔｏｏｔｈ（登録商標））１１、表示部１２、操作部（タッチパネル）１３、ＲＯＭ１４、ＲＡＭ１５、及び制御部１６を備えている。通信部１１は、自身に設定されたＰＩＮ（Ｐａｒｓｏｎａｌ  Ｉｄｅｎｔｉｆｉｃａｔｉｏｎ  Ｎｕｍｂｅｒ）を記憶する領域を有し、Ｂｌｕｅｔｏｏｔｈ（登録商標）を用いて、デジタルカメラ３０−ｎとの間で各種コマンドや画像データなどを送受信する。
【００２２】
表示部１２は、液晶表示器や有機ＥＬ（Ｅｌｅｃｔｒｏ  Ｌｕｍｉｎｅｓｃｅｎｃｅ）表示器などからなり、特定の機能やアプリケーションなどに紐付けられているアイコンや、アプリケーション画面、各種のメニュー画面などを表示する。操作部（タッチパネル）１３は、指やスタイラス（ペン）などの直接接触、あるいは、近接を検出する。なお、操作部（タッチパネル）１３には、電源ボタンや音量ボタンなどの機械的なスイッチ類が含まれてもよい。
【００２３】
ＲＯＭ１４は、後述する制御部１６により実行されるプログラムや動作等に必要とされる各種パラメータなどを記憶している。ＲＡＭ１５は、後述する制御部１６がプログラムを実行した際の一時的なデータや、各種アプリケーションプログラム、アプリケーションプログラムの実行に必要な各種パラメータ、デジタルカメラ３０−１〜３０−ｎから受信した画像データなどを記憶する。
【００２４】
制御部１６は、上述したＲＯＭ１４に記憶されているプログラムを実行することで各部の動作を制御する。特に、本実施形態では、制御部１６は、複数のデジタルカメラ３０−１〜３０−ｎから画像データを受信している場合には、表示部１２の画面上に複数のライブビューイメージを一覧表示（マルチライブビュー表示）する。一方、制御部１６は、１つのデジタルカメラから１つの画像データを受信している場合には、表示部の画面上に１つのライブビューイメージを全画面で逐次表示（シングルビュー表示）する。
【００２５】
また、制御部１６は、全てのデジタルカメラ３０−１〜３０−ｎが接続されている状態から、いずれか１つのデジタルカメラからの画像データに基づくライブビューイメージをシングルビュー表示する状態に切り替える際には、画像データを送信させない他のデジタルカメラをスリープ状態に設定する。一方、全てのデジタルカメラ３０−１〜３０−ｎが接続されている状態を維持し、これら全てのデジタルカメラ３０−１〜３０−ｎからの画像データに基づくライブビューイメージをマルチライブビュー表示する状態にする際には、これら全てのデジタルカメラ３０−１〜３０−ｎがスリープ状態であれば、このスリープ状態から復帰させるように、これら全てのデジタルカメラ３０−１〜３０−ｎの動作モードを設定する。
【００２６】
図２（ｂ）において、デジタルカメラ３０−ｎ（ｎ＝１〜７）は、通信部３１、操作部３２、撮像部３３、ＲＯＭ３４、ＲＡＭ３５、記録媒体３６、及び制御部３７を備えている。通信部３１は、Ｂｌｕｅｔｏｏｔｈ（登録商標）を用いて、レシーバー１０との間で画像データや、各種コマンドなどを送受信する。
【００２７】
操作部３２は、電源スイッチ、シャッタスイッチ、ズームスイッチ、モードキー、ＳＥＴキー、十字キー等の複数の操作キーを含み、ユーザのキー操作に応じた操作信号を出力する。撮像部３３は、光学レンズ群からなるレンズブロックと、ＣＣＤや、ＣＭＯＳなどの撮像素子からなり、レンズブロックから入った画像を撮像素子によりデジタル信号に変換して出力する。
【００２８】
ＲＯＭ３４は、後述する制御部３７により実行されるプログラムや動作等に必要とされる各種パラメータなどを記憶している。ＲＡＭ３５は、撮像部３３によって撮像された画像ファイルを一時記憶するバッファメモリとして使用されるとともに、制御部３７のワーキングメモリとして使用される。記録媒体３６は、撮像された画像ファイルなどを保存する。
【００２９】
制御部３７は、上述したＲＯＭ３４に記憶されているプログラムを実行することで各部の動作を制御する。特に、本実施形態では、制御部３７は、レシーバー１０から画像データの要求を受信する度に、該要求に応じて画像データを送信する。
【００３０】
なお、本実施形態では、デジタルカメラ３０−ｎは、表示部を備えていないが、一般的なデジタルカメラのように液晶表示器や有機ＥＬ（Ｅｌｅｃｔｒｏ  Ｌｕｍｉｎｅｓｃｅｎｃｅ）表示器などからなる表示部を備えていてもよい。
【００３１】
図３は、本実施形態によるレシーバー１０の表示例（マルチビュー表示）を示す模式図である。図３に示すように、レシーバー１０は、デジタルカメラ３０−１〜３０−ｎからの画像データを、表示部１２の画面に、ライブビューイメージとしてタイル状に表示するマルチライブビュー表示モードを備えている。図示の例は、２つのデジタルカメラ（便宜的にデジタルカメラ３０−１、３０−２とする）からの画像データを逐次受信し、２分割した画面にタイル状に表示するマルチライブビュー表示を示している。表示部１２の左側には、ライブビューイメージＡ４２が表示され、右側には、ライブビューイメージＢ４３が表示されている。
【００３２】
なお、ライブビューイメージＡ４２は、デジタルカメラ３０−１が超広角、魚眼或いは全天周を撮影範囲として撮影できる能力を持ち、その撮影に基づいた画像データは歪曲補正処理をしていないイメージサークルの形状を有している。その結果、デジタルカメラ３０−１のライブビューイメージは撮影光軸を中心に円形になっている。
【００３３】
また、ライブビューイメージＢ４３は、デジタルカメラ３０−２が一般的なデジタルカメラが有する撮像素子の有効範囲を示すもの所定のアスペクト比からなる矩形形状になっている。ただし、２分割された各表示エリアは縦長の矩形になっているため、ライブビューイメージＢ４３は表示エリアの上下をブランク（黒）としたレターボックス表示となっている。
【００３４】
また、夫々のライブビューイメージＡ４２、ライブビューイメージＢ４３の上には、いずれのデジタルカメラからのライブビューイメージであることを示すアイコン４０、４１が表示されている。また、アイコン４４は、デジタルカメラ３０−１、３０−２に対しインターバル撮影を指示する場合、ユーザからのタッチを検出するためのものである。アイコン４５は、デジタルカメラ３０−１、３０−２に対し再生モード（記録済みの画像をリサイズしてレシーバー１０に無線送信させるモード）を指示する場合、ユーザからのタッチを検出するためのものである。アイコン４６、４８は、夫々デジタルカメラ３０−１、３０−２のステータス（状態）として電池残量を示すものであり、これは上記第１の通信モードにおいてデジタルカメラ３０−１、３０−２から送信される。アイコン４７は、レシーバー１０のステータス（状態）として電池残量を示すものである。アイコン４９は、当該撮影モードからのモード抜けを指示する場合、ユーザからのタッチを検出するためのものである。マルチライブビュー表示において、ユーザがどちらかのライブビューイメージのみを表示させたいと思った場合、ユーザは、アイコン４０、４１のうち、所望するライブビューイメージの上部に位置するアイコンをタッチする。レシーバー１０では、タッチされたアイコン側のライブビューイメージのみを、表示部１２の全画面に逐次表示するシングルビュー表示に切り換えるようになっている。
【００３５】
図４は、本実施形態によるレシーバー１０の表示例（シングルビュー表示）を示す模式図である。図３に示すように、レシーバー１０は、ユーザに選択されたライブビューイメージを、表示部１２の全画面で逐次表示するシングルビュー表示モードを備えている。図示の例は、図３に示す状態で、ユーザが、所望するデジタルカメラ３０−２から逐次送信された画像データに基づく、ライブビューイメージＢ４３の上部に位置するアイコン４１をタッチした場合のシングルビュー表示を示している。表示部１２の右上には、マルチライブビュー表示に切り替えるためのアイコン５０が表示されている。
【００３６】
アイコン５１は、デジタルカメラ３０−２及びレシーバー１０に対し各種設定（撮影条件設定、動作環境設定、及び、再生モードにおける表示設定）を指示する場合、ユーザからのタッチを検出するためのものである。アイコン５２は、撮影環境に基づいて自動的に最適な撮影条件をデジタルカメラ３０−２に設定して撮影を行わせる撮影モードを指示する場合、ユーザからのタッチを検出するためのものである。アイコン５３は、レシーバー１０以外の通信装置とワイヤレスＬＡＮを用いて接続させる場合、ユーザからのタッチを検出するためのものである。アイコン５４は、デジタルカメラ３０−２に対しインターバル撮影を指示する場合、ユーザからのタッチを検出するためのものである。
【００３７】
なお、アイコン４４へのタッチ検出に基づくインターバル撮影開始のトリガーは、デジタルカメラ３０−１、３０−２に双方に一斉に送信されるのに対し、アイコン５４へのタッチ検出に基づくインターバル撮影開始のトリガーは、デジタルカメラ３０−２のみに送信される。
すなわち、表示部１２に表示される各アイコンは、第１の通信モードで接続されているデジタルカメラの機能や接続台数と深く関連している。
【００３８】
シングルビュー表示において、ユーザは、接続されているデジタルカメラからの画像データを、ライブビューイメージとして一覧表示するマルチライブビュー表示に切り替えたい場合には、アイコン４２をタッチする。レシーバー１０では、接続されているデジタルカメラ３０−１〜３０−ｎから受信した全ての画像データをライブビューイメージとして一覧表示するマルチライブビュー表示に切り換えるようになっている。
【００３９】
Ｂ．実施形態の動作
次に、上述した実施形態の動作について説明する。
図５は、本実施形態によるレシーバー１０の動作を説明するためのフローチャートである。なお、以下の説明では、１台のデジタルカメラ３０−１、もしくは２台のデジタルカメラ３０−１、３０−２が接続される場合について説明するが、３台以上であっても基本的な動作は同じである。
【００４０】
レシーバー１０において、制御部１６は、通信部１１を介して、デジタルカメラ３０（３０−１〜ｎ）との接続処理を実行する（ステップＳ１０）。なお、無線通信（Ｂｌｕｅｔｏｏｔｈ（登録商標））による接続手順については既存の技術であるので説明を省略する。次に、制御部１６は、デジタルカメラ３０−１と接続したか否かを判断する（ステップＳ１２）。そして、デジタルカメラ３０−１と接続した場合には（ステップＳ１２のＹＥＳ）、デジタルカメラ３０−１から受信した画像データを、ライブビューイメージとしてシングルビュー表示する（ステップＳ１４）。
【００４１】
より具体的には、レシーバー１０の制御部１６は、接続したデジタルカメラ３０−１に対して、ＱＶＧＡ（３２０×２４０）サイズの画像データの送信を要求する。これに応答して、デジタルカメラ３０−１からＱＶＧＡサイズの画像データが送信されてくるので、レシーバー１０の制御部１６は、図４に示すように、受信したＱＶＧＡサイズの画像データを表示部１２の全画面上にライブビューイメージとして表示するシングルビュー表示を実行する。以後、レシーバー１０は、状況が変化するまでは、ステップＳ１２に戻り、シングルビュー表示を継続するが、他のデジタルカメラ３０−２〜３０−ｎが接続されるなどして、接続する台数が増加することがあればステップＳ１２の判断がＹＥＳとなり、ステップＳ１６に進む。
【００４２】
一方、２台のデジタルカメラ３０−１、３０−２と接続した場合には（ステップＳ１２のＮＯ）、制御部１６は、マルチライブビュー設定処理を実行する（ステップＳ１６）。マルチライブビュー設定処理では、接続されている２台のデジタルカメラ３０−１、３０−２に対して、ＱＱＶＧＡ（１６０×１２０）サイズの画像データの送信を要求し、これに応答したデジタルカメラ３０−１、３０−２からＱＱＶＧＡサイズの画像データを受信する。なお、マルチライブビュー設定処理の詳細については後述する。
【００４３】
次に、制御部１６は、デジタルカメラ３０−１、３０−２から受信したＱＱＶＧＡサイズの画像データを、図３に示すように、表示部１２の画面を接続台数に応じて分割した領域に、ライブビューイメージとしてタイル状に配置して表示するマルチライブビュー表示を実行する。マルチライブビュー表示では、画像データのデータ量をＱＱＶＧＡサイズにすることでフレームレートの低下を防ぐことができ、２台のデジタルカメラ３０−１、３０−２からの画像データを画面上に並べて円滑に表示することができる。
【００４４】
次に、制御部１６は、ユーザによって、シングルビュー表示へ切り替えるためのアイコン４０、４１（図３参照）のいずれかがタッチされたか否かを判断する（ステップＳ２０）。そして、アイコン４０、４１のいずれもタッチされない場合には（ステップＳ２０のＮＯ）、制御部１６は、シングルビュー表示へ切り替え指示がないと判断し、ステップＳ１８に戻り、マルチライブビュー表示を継続する。
【００４５】
一方、マルチライブビュー表示において、ユーザによって、シングルビュー表示へ切り替えるためのアイコン４０、４１（図３参照）のいずれかへのタッチが検出された場合には（ステップＳ２０のＹＥＳ）、制御部１６は、シングルビュー表示へ切り替え指示があったと判断し、シングルビュー設定処理を実行する（ステップＳ２２）。シングルビュー設定処理では、ユーザにより選択されなかったデジタルカメラ３０（例えばデジタルカメラ３０−１）に対してＳｎｉｆｆ要求（後述）を出して第２の通信モードに移行させてスリープ状態にするとともに、選択されたデジタルカメラ３０（例えばデジタルカメラ３０−２）に対して、ＱＶＧＡ（３２０×２４０）サイズの画像データを送信するように要求し、これに応答した当該選択されたデジタルカメラ３０からＱＶＧＡサイズの画像データを受信する。なお、シングルビュー設定処理の詳細については後述する。
【００４６】
上記Ｓｎｉｆｆ要求は、デジタルカメラをスリープ状態にするコマンドである。複数のデジタルカメラが接続された状態、すなわちマルチ接続時に、シングルビュー表示へ切り替える場合、ライブビューイメージを表示しない側のデジタルカメラが、レシーバー１０から画像データ要求待ち状態で動作していると、このデジタルカメラの電池寿命が短くなる。
【００４７】
また、このデジタルカメラ（ライブビューイメージを表示しない側のデジタルカメラ）の電源をオフにしてしまうと、再接続の際にネゴシエーション処理に時間がかかり操作性が低下する。そこで、本実施形態では、省電力、かつ再表示時間短縮のために、Ｂｕｌｕｅｔｏｏｔｈ（登録商標）のＳｎｉｆｆ機能を用いる。表示しない側のデジタルカメラをＳｎｉｆｆ状態でスリープ状態とすることで、デジタルカメラとレシーバー１０との接続状態を維持しながら省電力モードに状態遷移させることができる。表示しない側のデジタルカメラをこの状態に遷移させることで、省電力化と接続復帰後の表示までの時間短縮の両立を実現している。
【００４８】
次に、制御部１６は、デジタルカメラ３０−２から受信したＱＶＧＡサイズの画像データを、図４に示すように、ライブビューイメージとして表示部１２の全画面上に表示するシングルビュー表示を実行する。シングルビュー表示では、再度、画像データをＱＱＶＧＡサイズからＱＶＧＡサイズに戻すことでシングルビュー表示の高画質化を実現している。
【００４９】
次に、制御部１６は、ユーザによって、マルチライブビュー表示へ切り替えるためのアイコン５０（図４参照）へのタッチが検出されたか否かを判断する（ステップＳ２６）。そして、アイコン５０へのタッチが検出されない場合には（ステップＳ２６のＮＯ）、制御部１６は、マルチライブビュー表示への切り替え指示がないと判断し、ステップＳ２４に戻り、シングルビュー表示を継続する。
【００５０】
一方、ユーザによってアイコン５０へのタッチが検出された場合には（ステップＳ２６のＹＥＳ）、制御部１６は、ステップＳ１６に戻り、上述したマルチライブビュー表示へと移行し、以下、上述した処理を繰り返す。
【００５１】
図６は、本実施形態による撮影システム１の動作（マルチライブビュー設定処理）を説明するためのシーケンス図である。レシーバー１０の制御部１６は、まず、シングルビュー表示からの移行であるか否かを判断する（ステップＳ３０）。そして、シングルビュー表示からの移行でない場合には（ステップＳ３０のＮＯ）、デジタルカメラ３０−１、３０−２とのマルチ接続によるマルチライブビュー表示の状態なので、制御部１６は、接続された２台のデジタルカメラ３０−１、３０−２に対して、ＱＱＶＧＡ（１６０×１２０）サイズの画像データの送信を要求する（ステップＳ３６）。
【００５２】
次に、制御部１６は、デジタルカメラ３０−１、３０−２から応答としてＱＱＶＧＡサイズの画像データを受信したか否かを判断する（ステップＳ３８）。そして、接続された全てのデジタルカメラ３０−１、３０−２からＱＱＶＧＡサイズの画像データを受信するまで待機し（ステップＳ２８のＮＯ）、受信すると（ステップＳ３８のＹＥＳ）、上述したメインのフローチャートに戻る。
【００５３】
一方、シングルビュー表示からの移行である場合には（ステップＳ３０のＹＥＳ）、現在、２台のデジタルカメラ３０−１、３０−２と接続されており、且つ、表示されていない側のデジタルカメラ（ここでは、デジタルカメラ３０−１とする）がスリープ状態になっていることを意味するので、制御部１６は、選択されていなかったデジタルカメラ３０−１に対してＳｎｉｆｆ解除要求を送信する（ステップＳ３２）。
デジタルカメラ３０−１は、Ｓｎｉｆｆ解除要求を受信すると、レシーバー１０に対してＳｎｉｆｆ解除応答を送信するとともに、スリープ状態から復帰する。
【００５４】
レシーバー１０の制御部１６は、デジタルカメラ３０−１からＳｎｉｆｆ解除応答を受信したか否かを判断する（ステップＳ３４）。そして、Ｓｎｉｆｆ解除応答を受信するまで待機し（ステップＳ３４のＮＯ）、Ｓｎｉｆｆ解除応答を受信すると（ステップＳ３４のＹＥＳ）、接続されている全てのデジタルカメラ、すなわち２台のデジタルカメラ３０−１、３０−２に対して、ＱＱＶＧＡ（１６０×１２０）サイズの画像データを要求する（ステップＳ３６）。
【００５５】
次に、制御部１６は、全てのデジタルカメラ３０−１、３０−２からＱＱＶＧＡサイズの画像データを受信したか否かを判断する（ステップＳ３８）。そして、デジタルカメラ３０−１、３０−２からＱＱＶＧＡサイズの画像データを受信するまで待機し（ステップＳ３８のＮＯ）、受信すると（ステップＳ３８のＹＥＳ）、上述したメインのフローチャートに戻る。
【００５６】
図７は、本実施形態による撮影システム１の動作（シングルビュー設定処理）を説明するためのシーケンス図である。レシーバー１０の制御部１６は、まず、ユーザによって選択されなかったデジタルカメラ３０−１に対してＳｎｉｆｆ要求を送信する（ステップＳ５０）。デジタルカメラ３０−１は、Ｓｎｉｆｆ要求を受信すると、レシーバー１０に対してＳｎｉｆｆ応答を送信するとともに、通信状態を維持したままスリープ状態へ遷移する。
【００５７】
レシーバー１０の制御部１６は、デジタルカメラ３０−１からＳｎｉｆｆ応答を受信したか否かを判断する（ステップＳ５２）。そして、デジタルカメラ３０−１からＳｎｉｆｆ応答を受信するまで待機し（ステップＳ５２のＮＯ）、デジタルカメラ３０−１からＳｎｉｆｆ応答を受信すると（ステップＳ５２のＹＥＳ）、ユーザによって選択されたデジタルカメラ３０−２に対して、ＱＶＧＡ（３２０×２４０）サイズの画像データの送信を要求する（ステップＳ５４）。
【００５８】
次に、制御部１６は、デジタルカメラ３０−２からＱＶＧＡサイズの画像データを受信したか否かを判断する（ステップＳ５６）。そして、デジタルカメラ３０−２からＱＶＧＡサイズの画像データを受信するまで待機し（ステップＳ５６のＮＯ）、デジタルカメラ３０−２からＱＶＧＡサイズの画像データを受信すると（ステップＳ５６のＹＥＳ）、上述したメインのフローチャートに戻る。
【００５９】
図８は、本実施形態による撮影システム１の動作（マルチビューからシングルビューへの遷移）を説明するためのシーケンス図である。上述したように、１台のデジタルカメラ３０−１、もしくは２台のデジタルカメラ３０−１、３０−２が接続される場合について説明するが、３台以上であっても基本的な動作は同じである。
【００６０】
まず、レシーバー１０に２台のデジタルカメラ３０−１、３０−２が接続されたマルチ接続状態、すなわちマルチライブビュー表示の状態にあるとする（ステップＳＳ１）。このマルチライブビュー表示の状態で、デジタルカメラ３０−１から逐次送信される画像データの表示、すなわちシングルビューに切り替える場合には、レシーバー１０からデジタルカメラ３０−２に対してＳｎｉｆｆ要求が送信される（ステップＳＳ２）。該Ｓｎｉｆｆ要求に応じて、デジタルカメラ３０−２からレシーバー１０に対してＳｎｉｆｆ応答が送信される（ステップＳＳ３）。この段階で、デジタルカメラ３０−２は、通信状態を維持したままスリープ状態に遷移する。
【００６１】
次に、レシーバー１０からデジタルカメラ３０−１に対してＱＶＧＡ（３２０×２４０）サイズの画像データを送信するように画像データ要求が送信される（ステップＳＳ４）。該画像データ要求＃１に応じて、デジタルカメラ３０−１からレシーバー１０に対してＱＶＧＡサイズの画像データが逐次送信される（ステップＳＳ５）。レシーバー１０では、デジタルカメラ３０−１からのＱＶＧＡサイズの画像データを、ライブビューイメージとして表示部１２に全画面で逐次表示するシングルビュー表示が実行される（ステップＳＳ６）。
【００６２】
また、マルチ接続状態、すなわちマルチライブビュー表示の状態で（ステップＳＳ１）、デジタルカメラ３０−２から逐次送信される画像データの表示、すなわちシングルビューに切り替える場合には、レシーバー１０からデジタルカメラ３０−１に対してＳｎｉｆｆ要求が送信される（ステップＳＳ１０）。該Ｓｎｉｆｆ要求に応じて、デジタルカメラ３０−１からレシーバー１０に対してＳｎｉｆｆ応答が送信される（ステップＳＳ１１）。この段階で、デジタルカメラ３０−１は、通信状態を維持したままスリープ状態に遷移する。
【００６３】
次に、レシーバー１０からデジタルカメラ３０−２に対してＱＶＧＡ（３２０×２４０）サイズの画像データの送信を要求する（ステップＳＳ１２）。該要求に応じて、デジタルカメラ３０−２からレシーバー１０に対してＱＶＧＡサイズの画像データが逐次送信される（ステップＳＳ１３）。レシーバー１０では、デジタルカメラ３０−２からのＱＶＧＡサイズの画像データを、ライブビューイメージとして表示部１２に全画面で逐次表示するシングルビュー表示が実行される（ステップＳＳ１４）。
【００６４】
図９は、本実施形態による撮影システム１の動作（シングルビューからマルチビュー、もしくはシングルビューへの遷移）を説明するためのシーケンス図である。レシーバー１０に２台のデジタルカメラ３０−１、３０−２が接続されたマルチ接続状態で、デジタルカメラ３０−２がスリープ状態となっており、デジタルカメラ３０−１によるシングルビュー表示の状態にあるとする（ステップＳＳ２０）。このシングルビュー表示の状態で、マルチライブビュー表示に切り替える場合には、まず、レシーバー１０からスリープ状態のデジタルカメラ３０−２に対してＳｎｉｆｆ解除要求が送信される（ステップＳＳ２１）。該Ｓｎｉｆｆ解除要求に応じて、デジタルカメラ３０−２からレシーバー１０に対してＳｎｉｆｆ解除応答が送信される（ステップＳＳ２２）。この段階で、デジタルカメラ３０−２は、スリープ状態から復帰する。
【００６５】
次に、レシーバー１０からデジタルカメラ３０−１に対してＱＱＶＧＡ（１６０×１２０）サイズの画像データの送信を要求し（ステップＳＳ２３）、デジタルカメラ３０−２に対してＱＱＶＧＡ（１６０×１２０）サイズの画像データの送信を要求する（ステップＳＳ２４）。上記要求に応じて、デジタルカメラ３０−１からレシーバー１０に対してＴＱＱＶＧＡサイズの画像データが逐次送信され（ステップＳＳ２５）、また、デジタルカメラ３０−２からレシーバー１０に対してＱＱＶＧＡサイズの画像データが逐次送信される（ステップＳ２６）。レシーバー１０では、デジタルカメラ３０−１、３０−２から逐次送信されるＱＱＶＧＡサイズの画像データを、表示部１２の画面を分割した領域にライブビューイメージとしてタイル状に表示するマルチライブビュー表示が実行される（ステップＳＳ２７）。
【００６６】
また、ステップＳＳ２０の状態、すなわち、レシーバー１０に２台のデジタルカメラ３０−１、３０−２が接続されたマルチ接続状態で、且つ、デジタルカメラ３０−２がスリープ状態のとき、ユーザによってデジタルカメラ３０−２が選択され、デジタルカメラ３０−２のシングルビュー表示に切り替える場合には、レシーバー１０からデジタルカメラ３０−１に対してＳｎｉｆｆ要求が送信される（ステップＳＳ２８）。該Ｓｎｉｆｆ要求に応じて、デジタルカメラ３０−１からレシーバー１０に対してＳｎｉｆｆ応答が送信される（ステップＳＳ２９）。この段階で、デジタルカメラ３０−１は、通信状態を維持したままスリープ状態に遷移する。
【００６７】
次に、レシーバー１０からデジタルカメラ３０−２に対してＱＶＧＡ（３２０×２４０）サイズの画像データの送信を要求する（ステップＳＳ３０）。該要求に応じて、デジタルカメラ３０−２からレシーバー１０に対してＱＶＧＡサイズの画像データが逐次送信される（ステップＳＳ３１）。レシーバー１０では、デジタルカメラ３０−２から逐次送信されるＱＶＧＡサイズの画像データを、ライブビューイメージとして表示部１２に全画面で逐次表示するシングルビュー表示が実行される（ステップＳＳ３２）。
【００６８】
なお、上述した実施形態では、２台までのデジタルカメラ３０−１、３０−２についてのみ説明したが、これに限らず、３台以上であっても、同様の処理にて対応することが可能である。この場合、各デジタルカメラからの画像データは、接続された台数に応じて分割された領域にライブビューイメージとして表示されることになる。つまり、１つ１つのライブビューイメージに対する領域のサイズは台数が増えることに反比例して小さくなるので、レシーバー１０からデジタルカメラ３０−１〜３０−ｎに対して、その領域のサイズに応じたデータ量（画像サイズ）の画像データを要求するようにしてもよい。
【００６９】
また、上述した実施形態では、マルチライブビュー表示においては、接続されている全てのデジタルカメラ３０−１〜３０−ｎからの画像データを、ライブビューイメージとしてマルチライブビュー表示するように説明したが、これに限らず、全数より少ない数でユーザが選択した複数のデジタルカメラからの画像データを、ライブビューイメージとしてマルチライブビュー表示するようにしてもよい。すなわち、７台のデジタルカメラ３０−１〜３０−７と接続されている場合であっても、例えば、ユーザが任意に選択したデジタルカメラ３０−１、３０−２、３０−５、３０−７からの画像データを、ライブビューイメージとしてマルチライブビュー表示してもよい。
【００７０】
また、上述した実施形態では、デジタルカメラの数に応じて画像データのサイズを、ＱＶＧＡか、ＱＱＶＧＡのどちらかとしたが、データ量としては、サイズ以外にも、データ圧縮率や、色数などを設定するようにしてもよい。
【００７１】
上述した実施形態によれば、複数のデジタルカメラ３０−１〜３０−ｎの数に基づいて、複数のデジタルカメラ３０−１〜３０−ｎに要求する画像データのデータ量を設定するようにしたので、通信すべき画像のデータ量を適切に調整することができ、フレームレートの低下を防ぐことができる。
【００７２】
上述した実施形態によれば、表示部１２の表示領域を複数のデジタルカメラ３０−１〜３０−ｎの数に応じて分割し、受信した画像データを、分割された表示領域の各々にライブビューイメージとして表示するようにしたので、通信すべき画像のデータ量を適切に調整することができ、フレームレートの低下を防ぐことができる。
【００７３】
上述した実施形態によれば、表示部１２の分割された表示領域に表示されるライブビューイメージの表示サイズに基づいて、複数のデジタルカメラ３０−１〜３０−ｎに送信を要求する画像データのサイズを設定するようにしたので、通信すべき画像のデータ量を適切に調整することができ、フレームレートの低下を防ぐことができる。
【００７４】
上述した実施形態によれば、複数のデジタルカメラ３０−１〜３０−ｎが接続されているマルチ接続において、画像データの受信を行うと設定されたデジタルカメラの数に基づいて、表示部１２の表示領域を分割するようにしたので、通信すべき画像のデータ量を適切に調整することができ、フレームレートの低下を防ぐことができる。
【００７５】
上述した実施形態によれば、複数のデジタルカメラ３０−１〜３０−ｎが接続されているマルチ接続において、シングルビュー表示する場合には、非表示のデジタルカメラをスリープ状態とし、マルチライブビュー表示する場合には、全てのデジタルカメラ３０−１〜３０−ｎをスリープ状態から復帰させるように、接続されているデジタルカメラ３０−１〜３０−ｎの動作モードを制御するようにしたので、通信すべき画像のデータ量を適切に調整することができ、再表示に要する時間を短縮することができる。
【００７６】
上述した実施形態によれば、複数のデジタルカメラ３０−１〜３０−ｎは、逐次撮影した画像の画像データを送信するようにしたので、リアルタイムで通信すべき画像のデータ量を適切に調整することができる。
【００７７】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００７８】
（付記１）
付記１に記載の発明は、複数の撮像装置との間で通信する通信手段と、この通信手段により前記複数の撮像装置から並行して送信される画像データを受信する受信手段と、前記画像データを送信する撮像装置の数を取得する取得手段と、前記取得手段によって取得された撮像装置の数に基づいて、前記撮像装置から送信される前記画像データのデータ量を制御する制御手段と、を備えることを特徴とする電子機器である。
【００７９】
（付記２）
付記２に記載の発明は、表示手段と、前記表示手段の表示領域を前記撮像装置の数に応じて分割し、前記受信手段によって受信された画像データを、前記分割された表示領域の各々に表示するよう制御する表示制御手段と、を備えることを特徴とする付記１に記載の電子機器である。
【００８０】
（付記３）
付記３に記載の発明は、前記制御手段は、前記表示制御手段による制御により前記分割された表示領域に表示されるべき表示サイズに基づいて、前記複数の撮像装置から送信される前記画像データのデータ量を制御する、ことを特徴とする付記２に記載の電子機器である。
【００８１】
（付記４）
付記４に記載の発明は、前記複数の撮像装置の各々に対し、前記通信手段に少なくとも２つの通信モードの何れかを設定する通信モード設定手段と、この通信モード設定手段によって設定された通信モードが何れかであるかに基づいて、前記受信手段に対して前記画像データの受信を行うか否かを設定する受信設定手段と、を更に備え、前記表示制御手段は、前記受信設定手段によって前記画像データの受信を行うと設定された撮像装置の数に基づいて、前記表示手段の表示領域を分割する、ことを特徴とする付記２又は３に記載の電子機器である。
【００８２】
（付記５）
付記５に記載の発明は、前記２つの通信モードとは、常時接続してデータ通信を行う第１の通信モードと所定の時間間隔で通信状態を維持する第２の通信モードであって、前記通信モード設定手段によって前記第１の通信モードに設定されたときに、前記受信設定手段は、前記受信手段に対して前記画像データの受信を行う旨を設定する、ことを特徴とする付記４に記載の電子機器である。
【００８３】
（付記６）
付記６に記載の発明は、前記複数の撮像装置は、逐次撮影した画像の画像データを送信する、ことを特徴とする付記１乃至５の何れかに記載の電子機器である。
【００８４】
（付記７）
付記７に記載の発明は、前記制御手段は、前記複数の撮像装置の数と反比例するように、前記複数の撮像装置から送信される前記画像データのデータ量を制御することを特徴とする付記１乃至６の何れかに記載の電子機器である。
【００８５】
（付記８）
付記８に記載の発明は、複数の撮像装置との間で通信を確立する通信確立ステップと、前記通信が確立された前記複数の撮像装置から並行して送信される画像データを受信する受信ステップと、前記画像データを送信する撮像装置の数を取得する取得ステップと、前記取得ステップにて取得された撮像装置の数に基づいて、前記撮像装置から送信される前記画像データのデータ量を制御する制御ステップと、を含むことを特徴とするデータ通信方法である。
【００８６】
（付記９）
付記９に記載の発明は、電子機器のコンピュータを、複数の撮像装置との間で通信する通信手段、この通信手段により前記複数の撮像装置から並行して送信される画像データを受信する受信手段、前記画像データを送信する撮像装置の数を取得する取得手段、前記取得手段によって取得された撮像装置の数に基づいて、前記撮像装置から送信される前記画像データのデータ量を制御する制御手段、として機能させることを特徴とするプログラムである。
【００８７】
（付記１０）
付記１０に記載の発明は、複数の撮像装置と電子機器とからなる撮影システムであって、前記電子機器は、前記複数の撮像装置との間で通信する通信手段と、この通信手段により前記複数の撮像装置から並行して送信される画像データを受信する受信手段と、前記画像データを送信する撮像装置の数を取得する取得手段と、前記取得手段によって取得された撮像装置の数に基づいて、前記撮像装置から送信される前記画像データのデータ量を制御する制御手段と、を備え、前記複数の撮像装置は、各々、撮像手段と、前記撮像手段によって撮像される画像データを、前記制御手段によって制御された前記画像データのデータ量に基づいて前記電子機器に送信する送信手段と、を備えることを特徴とする撮影システムである。
【符号の説明】
【００８８】
１  撮影システム
１０  レシーバー
１１  通信部
１２  表示部
１３  操作部（タッチパネル）
１４  ＲＯＭ
１５  ＲＡＭ
１６  制御部
２０−１〜２０−ｎ  無線通信
３０−１〜３０−ｎ  デジタルカメラ
３１  通信部
３２  操作部
３３  撮像部
３４  ＲＯＭ
３５  ＲＡＭ
３６  記録媒体
３７  制御部
【図１】
2018038011.tif 000003
【図２】
2018038011.tif 000004
【図３】
2018038011.tif 000005
【図４】
2018038011.tif 000006
【図５】
2018038011.tif 000007
【図６】
2018038011.tif 000008
【図７】
2018038011.tif 000009
【図８】
2018038011.tif 000010
【図９】
2018038011.tif 000011